(57)【要約】【課題】ロー付け嵌合部における管内へのロー剤の侵入を防止する。【解決手段】本願発明は、このような問題を解決するためにロー付けすべき銅管の接合面の内端にロー剤をはじく物質を塗布しておいて、ロー剤が同塗布面を越えてさらに内部まで流れ込むことができないようにすることによって、ロー剤の管内面へのはみ出しを防止し、銅管の侵食を回避するようにした。【選択図】  図２
2009136877.tif 000002
【特許請求の範囲】
【請求項１】
銅管と銅管または銅管と継ぎ手管とのロー付け構造であって、ロー付け部相互の接触面の一部に円周状にロー剤をはじく物質を塗布した上でロー付けされていることを特徴とするロー付け構造。
【請求項２】
接触面は、小径管側の外周面であることを特徴とする請求項１記載のロー付け構造。
【請求項３】
接触面は、大径管側の内周面であることを特徴とする請求項１記載のロー付け構造。
【請求項４】
ロー剤をはじく物質が、珪素化合物であることを特徴とする請求項１，２又は３記載のロー付け構造。
【発明の詳細な説明】
【技術分野】
【０００１】
本願発明は、銅管と銅管その他のロー付け構造に関するものである。
【背景技術】
【０００２】
例えば図４の拡大断面写真に示すように、空気調和機や給湯器用の各種熱交換器部分の伝熱管又はその他の部分の流体配管等の第１の銅管１と第２の銅管２（または銅管１と継ぎ手管２）とは、一般に硬ロウ（リン銅ロウ）等の加熱溶融型のロー剤３により接合されている（例えば公知文献として特許文献１、特許文献２などを参照）。
【０００３】
【特許文献１】特開２００３−１７０２９１号公報
【特許文献２】特開２００５−２７３９６６号公報
【発明の開示】
【発明が解決しようとする課題】
【０００４】
ところが、このように銅管１と銅管２（又は銅管と継手管）とを接合する際に、溶接作業者によるロー剤３の使用量や加熱温度等の微妙な操作加減が影響して、ロー剤３が接合面間の隙間を通して第２の銅管２（または継手管２）の内面側にはみ出す場合がある。そして、例えばヒートポンプ式給湯器などの銅管内部に水や湯を流す用途の場合には、このはみ出たロー剤３により、第２の銅管２の内部から外部に侵食が促進され、第２の銅管２が内側から外側に貫通して内部流体の漏洩を引き起こすケースも生じる。
【０００５】
このはみ出たロー剤３による第２の銅管２の侵食作用については、
（１）ロー剤３が流路を妨げることにより発生した乱流による第２の銅管２の潰食
（２）ロー剤３と第２の銅管２との間に発生したガルバニック腐食（電食）
の２つのケースが考えられる。
【０００６】
本願発明は、このような問題を解決するためになされたもので、ロー付けすべき銅管の接合面の内端にロー剤をはじく物質を塗布しておいて、ロー剤が同物質の塗布面を越えてさらに内部まで流れ込むことができないようにすることによって、ロー剤の銅管内面へのはみ出しを防止して、銅管等の侵食を回避するようにしたロー付け構造を提供することを目的とするものである。
【課題を解決するための手段】
【０００７】
本願発明は、上記の目的を達成するために、次のような有効な課題解決手段を備えて構成されている。
【０００８】
（１）  請求項１の発明
この発明は、銅管と銅管または銅管と継ぎ手管とのロー付け構造であって、ロー付け部相互の接触面の一部に円周状にロー剤をはじく物質を塗布した上でロー付けされていることを特徴としている。
【０００９】
銅管と銅管又は銅管と継手管とを接合する際に、それらロー付けすべき銅管等の接合面の内端にロー剤をはじく物質を塗布しておき、溶融したロー剤が同濡れ性の悪い塗布物質の表面で、はじかれるように構成する。
【００１０】
このようにすれば、ロー付け作業により溶融したロー剤は、上記物質のロー剤をはじく面を越えてさらに内部まで流れ込むことはできない。したがって、余分なロー剤は、銅管と銅管または銅管と継手管との接合部の外面側にあふれることになり、必要に応じて除去することができる。
【００１１】
（２）  請求項２の発明
この発明は、上記請求項１の発明の構成において、接触面は、小径管側の外周面であることを特徴としている。
【００１２】
このようにしても、溶融したロー剤は、やはりロー剤をはじく物質の表面を越えてさらに内部まで流れ込むことができない。したがって、余分なロー剤は、銅管と銅管または銅管と継手管との接合部の外面側にあふれることになり、必要に応じて除去することができる。
【００１３】
（３）  請求項３の発明
この発明は、上記請求項１の発明の構成において、接触面は、大径管側の内周面であることを特徴としている。
【００１４】
このようにしても、溶融したロー剤は、やはりロー剤をはじく物質の表面を越えてさらに内部まで流れ込むことができない。したがって、余分なロー剤は、銅管と銅管または銅管と継手管との接合部の外面側にあふれることになり、必要に応じて除去することができる。
【００１５】
（４）  請求項４の発明
この発明は、上記請求項１，２又は３の発明の構成において、ロー剤をはじく物質が、珪素化合物であることを特徴としている。
【００１６】
珪素化合物は、リン銅ロウ等の融解状態のロー剤に対して表面自由エネルギーが小さく、ロー剤のぬれ性を低くする効果が大きい。
【００１７】
したがって、ロー剤をはじく物質として、同珪素化合物を使用すると、同効果によって上記請求項１，２又は３の発明の作用がより有効に実現される。
【００１８】
珪素化合物の一例としては、例えばシリコングリースなどのペースト状のものが使用（塗布）しやすい。
【発明の効果】
【００１９】
以上の結果、上記本願発明の構成によると、溶接作業者個々のロー剤の使用量や加熱温度等の微妙な加減に影響されることなくロー剤の銅管等内面へのはみ出しを防止して、有効に銅管等の侵食を回避することができる。
【００２０】
したがって、管内に水や湯を流すヒートポンプ式給湯器等の流体配管の場合にも銅管内部が外部に貫通して内部流体の漏洩を引き起こすようなことがなくなる。
【発明を実施するための最良の形態】
【００２１】
以下、添付の図面を参照して、本願発明を実施するための幾つかの最良の実施の形態について説明する。
【００２２】
（第１の実施の形態）
先ず図１および図２は、本願発明の第１の実施の形態に係る例えば銅管と銅管とのロー付け部の構造を示している。
【００２３】
図１中、先ず符号１は小径側第１の銅管、また２は大径側第２の銅管であり、これら第１，第２の銅管１，２は、は相互に所定の長さ緊密に嵌合され、当該嵌合部の隙間を例えばリン銅ロウ等のロー剤３でロー付けすることにより、液密な状態に接合一体化して連結固定されている。
【００２４】
この場合、小径側第１の銅管１の大径側第２の銅管２内への嵌合部の内端部（先端部）の外周面全体には、所定の幅で例えばシリコングリース等ペースト状の珪素化合物４が塗布されており、上記ロー付け時に溶融されて導入されてくる流体状のロー剤３をその表面自由エネルギーを小さくすることにより、ロー剤３を逆方向にはじくように作用し、ロー剤３を同部分から内方に侵入させないように機能する。
【００２５】
したがって、ロー付け時において、上記第１の銅管１と第２の銅管２との間のロー剤３は、上記嵌合部間から内方には侵入しなくなり、余分なロー剤３は嵌合部（接合部）より外側に戻され、必要に応じて除去される。
【００２６】
この結果、上記の構成によると、溶接作業者個々のロー剤３の使用量や加熱温度等の微妙な操作加減に影響されることなく、ロー剤３の第２の銅管２等の内面へのはみ出しを防止して、有効に第２の銅管２の侵食を回避することができる。
【００２７】
したがって、管内に水や湯を流すヒートポンプ式給湯器等の流体配管に適用した場合にも、銅管内部が外部に貫通して内部流体の漏洩を引き起こすようなことがなくなる。
【００２８】
そして、同構成では、上記ロー剤３をはじく物質として珪素化合物を使用している。
【００２９】
珪素化合物は、リン銅ロウ等の融解状態のロー剤３に対して表面自由エネルギーが小さく、濡れ性が低いので、同ロー剤３をはじく効果が高い。
【００３０】
したがって、ロー剤３をはじく物質として、珪素化合物を使用すると、同珪素化合物の効果によって上述の作用がより有効に実現される。また珪素化合物の一例としては、例えば上述したシリコングリースなどのペースト状のものが使用しやすい（塗布しやすい）。
【００３１】
なお、以上の構成において、第２の銅管２は継手管であってもよいことは言うまでもない。
【００３２】
（第２の実施の形態）
次に図３は、本願発明の最良の実施の形態２に係る銅管と銅管のロー付け構造を示している。
【００３３】
この実施の形態では、上記第１の実施の形態の構成において、ロー剤３をはじく物質４を上述の場合とは逆に大径側第２の銅管２の内周面に塗布したことを特徴としている。
【００３４】
このようにすれば、溶解したロー剤３は、同ロー剤３をはじく物質４の表面を越えてさらに第２の銅管２の内部まで流れ込むことができない。したがって、余分なロー剤３は、第１の銅管１と第２の銅管２との嵌合部の外面側にあふれることになり、必要に応じて除去することができる。
【００３５】
（第３の実施の形態）
なお、上記第１，第２の各実施の形態の構成を組み合わせることにより、上記第１の銅管１の外周面および第２の銅管２の内周面各々にロー剤３をはじく物質４，４を塗布しておいて、ロー剤３が同物質４の塗布面を越えてさらに内部まで流れ込むことができないようにすることによって、ロー剤３の管内面へのはみ出しを防止して、第２の銅管２の侵食を回避するようにしてもよい。
【図面の簡単な説明】
【００３６】
【図１】本願発明の最良の実施の形態１に係るロー付け構造のロー付け部の構成を示す断面図である。
【図２】同ロー付け部の要部の構成を示す拡大断面図である。
【図３】本願発明の最良の実施の形態２に係るロー付け構造のロー付け部の構成を示す断面図である。
【図４】従来のロー付け部の構成とその問題点を示す要部の拡大断面写真である。
【符号の説明】
【００３７】
１は第１の銅管、２は第２の銅管、３はロー剤、４はロー剤をはじく物質ある。
【図１】
2009136877.tif 000003
【図２】
2009136877.tif 000004
【図３】
2009136877.tif 000005
【図４】
2009136877.tif 000006